【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）における使用のためのワイヤレス通信のための方法であって、
サブフレーム内で、複数の狭帯域を備えるシステム帯域幅内の狭帯域を表す第１の数の物理リソースブロック（ＰＲＢ）を占有するダウンリンク制御チャネル上での送信について監視するための第１の探索空間を識別することと、
前記ダウンリンク制御チャネル上で送信されたブロードキャスト制御情報について少なくとも前記第１の探索空間を監視することと、ここにおいて、
前記ブロードキャスト制御情報が、ページングメッセージのための情報を備え、
前記狭帯域が、１つまたは複数の他のＵＥのためのページングメッセージのために使用される前記複数の狭帯域のうちの１つまたは複数の他の狭帯域とは異なる、
を備える、方法。
【請求項２】
基地局（ＢＳ）における使用のためのワイヤレス通信のための方法であって、
サブフレーム内で、複数の狭帯域を備えるシステム帯域幅内の狭帯域を表す第１の数の物理リソースブロック（ＰＲＢ）を占有するダウンリンク制御チャネル上で送信するための第１の探索空間を識別することと、
前記第１の探索空間中の復号候補を使用して、前記ダウンリンク制御チャネル上でブロードキャスト制御情報をユーザ機器（ＵＥ）に送信することと、ここにおいて、
前記ブロードキャスト制御情報が、ページングメッセージのための情報を備え、
前記狭帯域が、１つまたは複数の他のＵＥのためのページングメッセージのために使用される前記複数の狭帯域のうちの１つまたは複数の他の狭帯域とは異なる、
を備える、方法。
【請求項３】
前記ブロードキャスト制御情報が、ランダムアクセス応答（ＲＡＲ）メッセージを備える、請求項１または２に記載の方法。
【請求項４】
前記ページングメッセージのための前記情報が、複数のＵＥのためのページング情報と、前記ページングメッセージを前記ＵＥに宛てるためのＵＥ  ＩＤとを備え、前記ページングメッセージのための前記情報が、ページング無線ネットワーク一時識別子（Ｐ−ＲＮＴＩ）を備える、請求項１または２に記載の方法。
【請求項５】
前記方法が前記ＵＥにおいて使用されたとき、システム情報ブロック（ＳＩＢ）中で前記ページングメッセージのための構成情報を受信することと、
前記方法が前記ＢＳにおいて使用されたとき、システム情報ブロック（ＳＩＢ）中で前記ページングメッセージのための構成情報を送信することと
をさらに備える、請求項１または２に記載の方法。
【請求項６】
前記方法が前記ＵＥにおいて使用されたとき、ＵＥ  ＩＤ−狭帯域マッピングルールに従って、前記ページングメッセージのために使用された前記狭帯域を識別することと、
前記方法が前記ＢＳにおいて使用されたとき、ＵＥ  ＩＤ−狭帯域マッピングルールに従って、前記ＵＥへの前記ページングメッセージのために使用された前記狭帯域を識別することと
をさらに備える、請求項５に記載の方法。
【請求項７】
前記方法が前記ＵＥにおいて使用されたとき、システム情報ブロック（ＳＩＢ）変更の指示を受信することと、ここにおいて、前記ＳＩＢが、前記ブロードキャスト制御情報を復号するための情報を備える、
前記方法が前記ＢＳにおいて使用されたとき、システム情報ブロック（ＳＩＢ）変更の指示を送信することと、ここにおいて、前記ＳＩＢが、前記ブロードキャスト制御情報を復号するための情報を備える、
をさらに備える、請求項１または２に記載の方法。
【請求項８】
前記ＳＩＢ変更の前記指示を受信することが、
物理ブロードキャストチャネル（ＰＢＣＨ）上で送信されたマスタ情報ブロック（ＭＩＢ）中で前記ＳＩＢ変更の前記指示を受信することと、
前記ＵＥがどのくらいの頻度で前記ＭＩＢを捕捉すべきであるかを示すシグナリングを受信することと
を備え、
前記ＳＩＢ変更の前記指示を送信することが、
物理ブロードキャストチャネル（ＰＢＣＨ）上のマスタ情報ブロック（ＭＩＢ）中で前記ＳＩＢ変更の前記指示を送信することと
前記ＵＥがどのくらいの頻度で前記ＭＩＢを捕捉すべきであるかを示すシグナリングを送信することと
を備える、請求項７に記載の方法。
【請求項９】
前記ＳＩＢ変更の前記指示を受信することが、前記制御チャネル中で前記ＳＩＢ変更の前記指示を受信することを備え、
前記ＳＩＢ変更の前記指示を送信することが、前記制御チャネル中で前記ＳＩＢ変更の前記指示を送信することを備え、
前記制御チャネル中の２ビットの異なる組合せは、ＳＩＢ変更があるかどうかと、前記ＵＥのためのページング情報があるかどうかとを示す、請求項７に記載の方法。
【請求項１０】
前記ＳＩＢ変更の前記指示が、前記ＳＩＢ中のどのフィールドが変更されたかの指示と、変更されたＳＩＢ中の前記フィールドの値とを備える、請求項７に記載の方法。
【請求項１１】
前記ブロードキャスト制御情報がＲＡＲメッセージを備えるとき、競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子のうちの少なくとも１つを備え、前記ＲＡＲメッセージが、前記ＵＬ送信のためのバンドルサイズをさらに備える、請求項１０に記載の方法。
【請求項１２】
前記ブロードキャスト制御情報がＲＡＲメッセージを備えるとき、非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備え、
前記方法が前記ＵＥにおいて使用されたとき、システム情報ブロック（ＳＩＢ）中で前記ＲＡＲメッセージのための構成情報を受信することと、
前記方法が前記ＢＳにおいて使用されたとき、システム情報ブロック（ＳＩＢ）中で前記ＲＡＲメッセージのための構成情報を送信することと
をさらに備える、請求項１０に記載の方法。
【請求項１３】
前記ダウンリンク制御チャネルが、マシンタイプ通信物理ダウンリンク制御チャネル（ＭＰＤＣＣＨ）または狭帯域物理ダウンリンク制御チャネル（ＮＢ−ＰＤＣＣＨ）のうちの少なくとも１つを備える、請求項１または２に記載の方法。
【請求項１４】
ワイヤレス通信のための装置であって、
ユーザ機器（ＵＥ）によって、請求項１および３〜１３のうちのいずれか一項の方法を実行するための手段を備え、
基地局（ＢＳ）によって、請求項２〜１３のうちのいずれか一項の方法を実行するための手段を備える、装置。
【請求項１５】
１つまたは複数のプロセッサに、請求項１〜１３のうちのいずれか一項に定義されたステップを実行することを行わせるための命令を記憶した、非一時的コンピュータ可読媒体。
【手続補正２】
【補正対象書類名】明細書
【補正対象項目名】００８４
【補正方法】変更
【補正の内容】
【００８４】
[0091]  本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
ユーザ機器（ＵＥ）によるワイヤレス通信のための方法であって、
サブフレーム内で、複数の狭帯域を備えるシステム帯域幅内の狭帯域を表す第１の数の物理リソースブロック（ＰＲＢ）を占有する制御チャネルについて監視するための第１の探索空間を識別することと、
前記制御チャネルについて少なくとも前記第１の探索空間を監視することと、ここにおいて、前記制御チャネルがブロードキャスト制御情報を備える、
を備える、方法。
［Ｃ２］
前記ブロードキャスト制御情報がページングメッセージを備える、Ｃ１に記載の方法。
［Ｃ３］
前記ページングメッセージが、複数のＵＥのためのページング情報（paging information）と、前記ページングメッセージを前記ＵＥに宛てるためのＵＥ  ＩＤとを備え、ここにおいて、前記ページングメッセージが、ページング無線ネットワーク一時識別子（Ｐ−ＲＮＴＩ）を用いてスクランブルされる、Ｃ２に記載の方法。
［Ｃ４］
システム情報ブロック（ＳＩＢ）中で前記ページングメッセージのための構成情報を受信することをさらに備える、Ｃ２に記載の方法。
［Ｃ５］
前記狭帯域が、他のＵＥのためのページングメッセージを搬送するために使用される前記複数の狭帯域のうちの他の狭帯域とは異なる、Ｃ４に記載の方法。
［Ｃ６］
ＵＥ  ＩＤ−狭帯域マッピングルールに従って、前記ページングメッセージを受信するための前記狭帯域を識別することをさらに備える、Ｃ５に記載の方法。
［Ｃ７］
システム情報ブロック（ＳＩＢ）変更の指示を受信することをさらに備え、ここにおいて、前記ＳＩＢが、前記ブロードキャスト制御情報を復号するための情報を備える、Ｃ１に記載の方法。
［Ｃ８］
前記ＳＩＢ変更の前記指示を受信することが、物理ブロードキャストチャネル（ＰＢＣＨ）上で送信されたマスタ情報ブロック（ＭＩＢ）中で前記ＳＩＢ変更の前記指示を受信することを備える、Ｃ７に記載の方法。
［Ｃ９］
前記ＵＥがどのくらいの頻度で前記ＭＩＢを捕捉すべきであるかを示すシグナリングを受信することをさらに備える、Ｃ８に記載の方法。
［Ｃ１０］
前記ＳＩＢ変更の前記指示を受信することが、前記制御チャネル中で前記ＳＩＢ変更の前記指示を受信することを備える、Ｃ７に記載の方法。
［Ｃ１１］
前記制御チャネル中の２ビットの異なる組合せは、ＳＩＢ変更があるかどうかと、前記ＵＥのためのページング情報があるかどうかとを示す、Ｃ１０に記載の方法。
［Ｃ１２］
前記ＳＩＢ変更の前記指示が、および前記ＳＩＢ中のどのフィールドが変更されたかの指示と、変更された前記ＳＩＢ中の前記フィールドの値とを備える、Ｃ７に記載の方法。
［Ｃ１３］
前記ブロードキャスト制御情報がランダムアクセス応答（ＲＡＲ）メッセージを備える、Ｃ１に記載の方法。
［Ｃ１４］
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子（preamble identifier）のうちの少なくとも１つを備える、Ｃ１３に記載の方法。
［Ｃ１５］
前記ＲＡＲメッセージが、前記ＵＬ送信のためのバンドルサイズをさらに備える、Ｃ１４に記載の方法。
［Ｃ１６］
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、Ｃ１３に記載の方法。
［Ｃ１７］
システム情報ブロック（ＳＩＢ）中で前記ＲＡＲメッセージのための構成情報を受信することをさらに備える、Ｃ１３に記載の方法。
［Ｃ１８］
前記制御チャネルがダウンリンク制御チャネルを備える、Ｃ１に記載の方法。
［Ｃ１９］
前記ダウンリンク制御チャネルが、マシンタイプ通信物理ダウンリンク制御チャネル（ＭＰＤＣＣＨ）または狭帯域物理ダウンリンク制御チャネル（ＮＢ−ＰＤＣＣＨ）のうちの少なくとも１つを備える、Ｃ１８に記載の方法。
［Ｃ２０］
基地局（ＢＳ）によるワイヤレス通信のための方法であって、
サブフレーム内で、複数の狭帯域を備えるシステム帯域幅内の狭帯域を表す第１の数の物理リソースブロック（ＰＲＢ）を占有する制御チャネルを送信するための第１の探索空間を識別することと、
前記第１の探索空間中の復号候補を使用して、前記制御チャネルをユーザ機器（ＵＥ）に送信することと、ここにおいて、前記制御チャネルがブロードキャスト制御情報を備える、
を備える、方法。
［Ｃ２１］
前記ブロードキャスト制御情報がページングメッセージを備える、Ｃ２０に記載の方法。
［Ｃ２２］
前記ページングメッセージが、複数のＵＥのためのページング情報と、前記ページングメッセージを前記ＵＥに宛てるためのＵＥ  ＩＤとを備え、ここにおいて、前記ページングメッセージが、ページング無線ネットワーク一時識別子（Ｐ−ＲＮＴＩ）を用いてスクランブルされる、Ｃ２１に記載の方法。
［Ｃ２３］
システム情報ブロック（ＳＩＢ）中で前記ページングメッセージのための構成情報を送信することをさらに備える、Ｃ２１に記載の方法。
［Ｃ２４］
前記狭帯域が、他のＵＥのためのページングメッセージを搬送するために使用される前記複数の狭帯域のうちの他の狭帯域とは異なる、Ｃ２３に記載の方法。
［Ｃ２５］
ＵＥ  ＩＤ−狭帯域マッピングルールに従って、前記ページングメッセージを前記ＵＥに送信するための前記狭帯域を識別することをさらに備える、Ｃ２４に記載の方法。
［Ｃ２６］
システム情報ブロック（ＳＩＢ）変更の指示を送信することをさらに備え、ここにおいて、前記ＳＩＢが、前記ブロードキャスト制御情報を復号するための情報を備える、Ｃ２０に記載の方法。
［Ｃ２７］
前記ＳＩＢ変更の前記指示を送信することが、物理ブロードキャストチャネル（ＰＢＣＨ）上のマスタ情報ブロック（ＭＩＢ）中で前記ＳＩＢ変更の前記指示を送信することを備える、Ｃ２６に記載の方法。
［Ｃ２８］
前記ＵＥがどのくらいの頻度で前記ＭＩＢを捕捉すべきであるかを示すシグナリングを送信することをさらに備える、Ｃ２７に記載の方法。
［Ｃ２９］
前記ＳＩＢ変更の前記指示を送信することが、前記制御チャネル中で前記ＳＩＢ変更の前記指示を送信することを備える、Ｃ２６に記載の方法。
［Ｃ３０］
前記制御チャネル中の２ビットの異なる組合せは、ＳＩＢ変更があるかどうかと、前記ＵＥのためのページング情報があるかどうかとを示す、Ｃ２９に記載の方法。
［Ｃ３１］
前記ＳＩＢ変更の前記指示が、および前記ＳＩＢ中のどのフィールドが変更されたかの指示と、変更されたＳＩＢ中の前記フィールドの値とを備える、Ｃ２６に記載の方法。
［Ｃ３２］
前記ブロードキャスト制御情報がランダムアクセス応答（ＲＡＲ）メッセージを備える、Ｃ２０に記載の方法。
［Ｃ３３］
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子のうちの少なくとも１つを備える、Ｃ３２に記載の方法。
［Ｃ３４］
前記ＲＡＲメッセージが、前記ＵＬ送信のためのバンドルサイズをさらに備える、Ｃ３３に記載の方法。
［Ｃ３５］
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、Ｃ３２に記載の方法。
［Ｃ３６］
システム情報ブロック（ＳＩＢ）中で前記ＲＡＲメッセージのための構成情報を送信することをさらに備える、Ｃ３２に記載の方法。
［Ｃ３７］
前記制御チャネルがダウンリンク制御チャネルを備える、Ｃ２０に記載の方法。
［Ｃ３８］
前記ダウンリンク制御チャネルが、マシンタイプ通信物理ダウンリンク制御チャネル（ＭＰＤＣＣＨ）または狭帯域物理ダウンリンク制御チャネル（ＮＢ−ＰＤＣＣＨ）のうちの少なくとも１つを備える、Ｃ３７に記載の方法。
［Ｃ３９］
ユーザ機器（ＵＥ）によるワイヤレス通信のための装置であって、
サブフレーム内で、複数の狭帯域を備えるシステム帯域幅内の狭帯域を表す第１の数の物理リソースブロック（ＰＲＢ）を占有する制御チャネルについて監視するための第１の探索空間を識別することと、
前記制御チャネルについて少なくとも前記第１の探索空間を監視することと、ここにおいて、前記制御チャネルがブロードキャスト制御情報を備える、
を行うように構成された少なくとも１つのプロセッサを備える、装置。
［Ｃ４０］
前記ブロードキャスト制御情報がページングメッセージを備える、Ｃ３９に記載の装置。
［Ｃ４１］
前記ページングメッセージが、複数のＵＥのためのページング情報と、前記ページングメッセージを前記ＵＥに宛てるためのＵＥ  ＩＤとを備え、ここにおいて、前記ページングメッセージが、ページング無線ネットワーク一時識別子（Ｐ−ＲＮＴＩ）を用いてスクランブルされる、Ｃ４０に記載の装置。
［Ｃ４２］
前記少なくとも１つのプロセッサが、システム情報ブロック（ＳＩＢ）変更の指示を受信するようにさらに構成され、ここにおいて、前記ＳＩＢが、前記ブロードキャスト制御情報を復号するための情報を備える、Ｃ３９に記載の装置。
［Ｃ４３］
前記少なくとも１つのプロセッサが、物理ブロードキャストチャネル（ＰＢＣＨ）上で送信されたマスタ情報ブロック（ＭＩＢ）中で前記ＳＩＢ変更の前記指示を受信するように構成された、Ｃ４２に記載の装置。
［Ｃ４４］
前記ＳＩＢ変更の前記指示が、および前記ＳＩＢ中のどのフィールドが変更されたかの指示と、変更された前記ＳＩＢ中の前記フィールドの値とを備える、Ｃ４２に記載の装置。
［Ｃ４５］
前記ブロードキャスト制御情報がランダムアクセス応答（ＲＡＲ）メッセージを備える、Ｃ３９に記載の装置。
［Ｃ４６］
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子のうちの少なくとも１つを備える、Ｃ４５に記載の装置。
［Ｃ４７］
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、Ｃ４５に記載の装置。
［Ｃ４８］
基地局（ＢＳ）によるワイヤレス通信のための装置であって、
サブフレーム内で、複数の狭帯域を備えるシステム帯域幅内の狭帯域を表す第１の数の物理リソースブロック（ＰＲＢ）を占有する制御チャネルを送信するための第１の探索空間を識別するように構成された少なくとも１つのプロセッサと、
前記第１の探索空間中の復号候補を使用して、前記制御チャネルをユーザ機器（ＵＥ）に送信するように構成された送信機と、ここにおいて、前記制御チャネルがブロードキャスト制御情報を備える、
を備える、装置。
［Ｃ４９］
前記ブロードキャスト制御情報がページングメッセージを備える、Ｃ４８に記載の装置。
［Ｃ５０］
前記ページングメッセージが、複数のＵＥのためのページング情報と、前記ページングメッセージを前記ＵＥに宛てるためのＵＥ  ＩＤとを備え、ここにおいて、前記ページングメッセージが、ページング無線ネットワーク一時識別子（Ｐ−ＲＮＴＩ）を用いてスクランブルされる、Ｃ４９に記載の装置。
［Ｃ５１］
前記送信機が、システム情報ブロック（ＳＩＢ）変更の指示を送信するようにさらに構成され、ここにおいて、前記ＳＩＢが、前記ブロードキャスト制御情報を復号するための情報を備える、Ｃ４８に記載の装置。
［Ｃ５２］
前記ＳＩＢ変更の前記指示が、および前記ＳＩＢ中のどのフィールドが変更されたかの指示と、変更されたＳＩＢ中の前記フィールドの値とを備える、Ｃ５１に記載の装置。
［Ｃ５３］
前記ブロードキャスト制御情報がランダムアクセス応答（ＲＡＲ）メッセージを備える、Ｃ４８に記載の装置。
［Ｃ５４］
競合ベースアクセスの場合、前記ＲＡＲメッセージが、タイミングアドバンス（ＴＡ）、アップリンク（ＵＬ）送信のための許可、一時無線ネットワーク一時識別子（Ｔ−ＲＮＴＩ）、またはプリアンブル識別子のうちの少なくとも１つを備える、Ｃ５３に記載の装置。
［Ｃ５５］
非競合ベースアクセスの場合、前記ＲＡＲメッセージが、セル無線ネットワーク一時識別子（Ｃ−ＲＮＴＩ）、タイミングアドバンス（ＴＡ）、またはランダムアクセスチャネル（ＲＡＣＨ）構成のうちの少なくとも１つを備える、Ｃ５３に記載の装置。
［Ｃ５６］
ユーザ機器（ＵＥ）によるワイヤレス通信のための装置であって、
サブフレーム内で、複数の狭帯域を備えるシステム帯域幅内の狭帯域を表す第１の数の物理リソースブロック（ＰＲＢ）を占有する制御チャネルについて監視するための第１の探索空間を識別するための手段と、
前記制御チャネルについて少なくとも前記第１の探索空間を監視するための手段と、ここにおいて、前記制御チャネルがブロードキャスト制御情報を備える、
を備える、装置。
［Ｃ５７］
基地局（ＢＳ）によるワイヤレス通信のための装置であって、
サブフレーム内で、複数の狭帯域を備えるシステム帯域幅内の狭帯域を表す第１の数の物理リソースブロック（ＰＲＢ）を占有する制御チャネルを送信するための、ユーザ機器（ＵＥ）によって監視される第１の探索空間を識別するための手段と、
前記第１の探索空間中の復号候補を使用して、前記制御チャネルをユーザ機器（ＵＥ）に送信するための手段と、ここにおいて、前記制御チャネルがブロードキャスト制御情報を備える、
を備える、装置。
［Ｃ５８］
少なくとも１つのプロセッサによって実行されるコードを備える非一時的コンピュータ可読媒体であって、前記コードは、
サブフレーム内で、複数の狭帯域を備えるシステム帯域幅内の狭帯域を表す第１の数の物理リソースブロック（ＰＲＢ）を占有する制御チャネルについて監視するための第１の探索空間を識別するためのコードと、
前記制御チャネルについて少なくとも前記第１の探索空間を監視するためのコードと、ここにおいて、前記制御チャネルがブロードキャスト制御情報を備える、
を備える、非一時的コンピュータ可読媒体。
［Ｃ５９］
少なくとも１つのプロセッサによって実行されるコードを備える非一時的コンピュータ可読媒体であって、前記コードは、
サブフレーム内で、複数の狭帯域を備えるシステム帯域幅内の狭帯域を表す第１の数の物理リソースブロック（ＰＲＢ）を占有する制御チャネルを送信するための第１の探索空間を識別するためのコードと、
前記第１の探索空間中の復号候補を使用して、前記制御チャネルをユーザ機器（ＵＥ）に送信するためのコードと、ここにおいて、前記制御チャネルがブロードキャスト制御情報を備える、
を備える、非一時的コンピュータ可読媒体。